(57)【要約】ユーザが使いやすく、小型で十分な性能を有しながら、比較的単純な構造でコストも安価である携帯機器用の撮像モジュールを提供する。携帯情報端末に組み込まれる撮像用モジュール１３０は、ズーム機能を持たせるために異なるレンズ系１３１、１３２を備え、これを光路方向と交差する方向に移動させると共に、そのレンズ系を適切な焦点距離に配置させることができるようにした構成を有する。レンズ系は、広角（ワイド）の撮影、狭角（テレ）の撮影、或いは、それらの中間の取り込み角での撮影ができるよう、複数種類が適当な数だけ用意される。これらのレンズ系は、撮像デバイス１５０を含むモジュールと一体に取扱い可能とされる。
2004040365.tif 000002
【特許請求の範囲】
【請求項１】
携帯情報端末に組み込まれる撮像用モジュールにおいて、
広角或いは狭角の所定の異なる画像取り込み角を画定する複数のレンズ系が、光路に交差する方向に移動されて相互に切替可能とされ、且つ切替の際に前記複数のレンズ系の各々が撮像用デバイスに対して所定の光学距離を画定するように移動されることを特徴とする撮像用モジュール。
【請求項２】
前記複数のレンズ系は、切替えのために前記携帯情報端末の一主要面に沿う方向に直線的に摺動され、且つ所望のレンズ系を含む部材のみが撮像デバイスから離間する方向に移動することにより前記所定の光学位置を画定するよう構成されることを特徴とする、請求項１の撮像用モジュール。
【請求項３】
前記複数のレンズ系は、切替えのために前記携帯情報端末の一主要面に対して傾斜方向に直線的に摺動されることにより前記所定の光学位置を画定するよう構成されることを特徴とする、請求項１の撮像用モジュール。
【請求項４】
前記複数のレンズ系は、切替えのために前記携帯情報端末の一主要面に沿って回転可能とされることを特徴とする、請求項１の撮像用モジュール。
【請求項５】
前記複数のレンズ系は、単一の部材に固定され、該単一の部材は、前記回転に伴い前記撮像用デバイスに対して選択されたレンズ系が所望の距離となるように移動されることを特徴とする、請求項４の撮像用モジュール。
【請求項６】
前記複数のレンズ系のうち選択されたレンズ系は、回動に伴い他のレンズ系が固定された部材から離間する方向に移動することにより前記所定の光学位置を画定するよう構成されることを特徴とする、請求項４の撮像用モジュール。
【請求項７】
広角撮影のためのレンズ系は、常時前記携帯情報端末の筐体内部に置かれ、狭角撮影のためのレンズ系は、選択されるときに前記筐体の外部に突出するよう構成されることを特徴とする、請求項１の撮像用モジュール。
【請求項８】
前記複数のレンズ系は、同寸法の焦点距離又は光学距離を有し、前記撮像デバイスとそれに位置合わせされるレンズ系の構成する前記光路に交差する一平面内で移動して切り替えられることを特徴とする、請求項１の撮像用モジュール。
【発明の詳細な説明】
【技術分野】  本発明は、携帯電話に代表される情報端末装置に内蔵されて使用される小型撮像モジュールに関し、特にズーム機能を有する撮像モジュール又はカメラモジュールに関する。
【背景技術】  携帯電話の普及に伴い携帯電話やＰＤＡに代表される情報端末用の、内蔵型撮像モジュールの小型化、高機能化を目指した提案がなされており、カメラにズーム機能を持たせることも提案されている。ズーム機能を実現させるため代表的な構成として、複数個のレンズを持った光学系を組み、それらの距離を機械的に又は電気的なフィードバック系を使って調整するものが知られている。
例えば、携帯電話本体とは、別体に設けられる構成の撮像モジュール装置が、例えば、特開２００２−２７３０４号公報に開示される。開示されるモジュール装置は、レンズ部が撮像部に対して距離を変化させるよう移動可能にされた光学系によるズーム機構を備えている。
更に、特開２００２−２７７７１３号公報、或いは、特開２００２−７７８４１号公報に開示される撮像モジュールは、携帯電話の本体に内蔵されるものである。携帯電話本体は小型であるので、前述の特開２００２−２７３０４号公報に記載される技術のように、撮像モジュール全体の内部にズーム機構を収めるような構造の場合には撮像モジュールの寸法が大きくなり、これを本体内部に収めることはできない。そこで、上述の公報に記載される撮像モジュールのズーム機構は、一部が本体から外部に突出する構造とされる。
特開２００２−２７７７１３号公報には、かかる機構の詳細が説明されている。撮像モジュールは、カムによって操作される２つのレンズ系を有する。即ち、２つのレンズ系は、同時に操作されて、撮像デバイスからの距離及びレンズ系の相対位置が決められるよう構成されている。カムは、携帯電話の側面に位置する操作部によって操作される。従って、ユーザは、この操作部を移動させることによって、レンズ系を移動させ、撮影の際の取込み角を変化させることができる。
一方で、光路を切り替えることにより、広角、狭角の撮影を切り替える型の撮像モジュールの例が、特開２００１−２２３９２４号公報に記載される。液晶スイッチを利用することにより光路が切替可能となるよう構成されている。かかる構成は、携帯電話等における小型化、薄型化の要請に合っており、撮像モジュールの全体を携帯電話本体内部に配置することができ、また耐衝撃性にも優れるという利点を有する。
しかしながら、前者の例によれば、提案されているズーム機能付き撮像モジュールは、その光学系内に、二枚もしくは三枚の個別のレンズを持ち、それらのお互いの距離を機械もしくは電気的な機構を使って変えることによって、ズーム機能を実現しようとしているが、この場合、レンズが複数枚必要なことで全体の光学系の長さが長くなったり、特殊なレンズ駆動機能を付加しなければならないため複雑な機構を用意しなければならず、更に、その制御の為の電気的なフィードバック系が必要となる等、技術的に困難であり、コスト的にも高いものとなってしまう。
他方、後者の例によれば、全体として比較的単純な構成にはなるものの、撮像方向が、広角、狭角の撮影の方向は、携帯電話の表裏で逆転するので、ユーザにとって不便となる。
そこで本発明は、ユーザが使いやすく、小型で十分な性能を有しながら、比較的単純な構造でコストも安価である携帯機器用の撮像モジュールを提供することを目的とする。
【発明の開示】
本発明は、携帯情報端末に組み込まれる撮像用モジュールで、ズーム機能を持たせるために異なるレンズ系を備え、これを光路方向と交差する方向に移動させると共に、そのレンズ系を適切な焦点距離又は光学距離に配置させることができるようにした構成のモジュールを提供するものである。レンズ系は、広角（ワイド）の撮影、狭角（テレ）の撮影、或いは、それらの中間の取り込み角での撮影ができるよう、複数種類が適当な数だけ用意される。これらのレンズ系は、撮像デバイスを含むモジュールと一体に取扱い可能な構成とされる。
本発明は、予め広角画像撮影用と狭角画像撮影用の二種類、或いはそれ以上の数の複数のレンズ系を個別に用意して、必要に応じてそれらを切り替えることで、一つの撮像デバイスを使って複数種類の画角の画像撮影を可能にする。これにより、複雑なレンズ駆動機能やフィードバック系は必要とされず、少なくとも最短の光学距離としたレンズ系を用いた場合には、携帯機器本体に収まる寸法とされ得る。更に、狭域画像の光学系の長さを、広域の場合よりも長くとることで、レンズの設計が容易になり、光学長を短く設計することによる撮像画の質の低下を防ぐことも出来る。
即ち、本発明は、携帯情報端末に組み込まれる撮像用モジュールにおいて、広角或いは狭角の所定の異なる画像取り込み角を画定する複数のレンズ系が、光路に交差する方向に移動されて相互に切替可能とされ、且つ切替の際に複数のレンズ系の各々が撮像用デバイスに対して所定の光学距離を画定するように移動される。
好ましくは、複数のレンズ系は、切替えのために携帯情報端末の一主要面に沿う方向に直線的に摺動され、且つ所望のレンズ系を含む部材のみが撮像デバイスから離間する方向に移動することにより所定の光学位置を画定するよう構成される。
好ましくは、複数のレンズ系は、切替えのために携帯情報端末の一主要面に対して傾斜方向に直線的に摺動されることにより所定の光学位置を画定するよう構成される。
好ましくは、複数のレンズ系は、切替えのために携帯情報端末の一主要面に沿って回転可能とされる。
好ましくは、複数のレンズ系は、単一の部材に固定され、該単一の部材は、回転に伴い撮像用デバイスに対して選択されたレンズ系が所望の距離となるように移動される。
好ましくは、複数のレンズ系のうち選択されたレンズ系は、回動に伴い他のレンズ系が固定された部材から離間する方向に移動することにより所定の光学位置を画定するよう構成される。
好ましくは、広角撮影のためのレンズ系は、常時携帯情報端末の筐体内部に置かれ、狭角撮影のためのレンズ系は、選択されるときに筐体の外部に突出するよう構成される。
好ましくは、複数のレンズ系は、同寸法の焦点距離又は光学距離を有し、撮像デバイスとそれに位置合わせされるレンズ系の構成する光路に交差する一平面内で移動して切り替えられる。
【図面の簡単な説明】  図１（Ｆｉｇ．１）は、本発明による撮像モジュールの携帯電話における配置を説明するための斜視図である。
図２（Ｆｉｇ．２）は、本発明の撮像モジュールによる広角撮影、狭角撮影を説明する概略図である。
図３（Ｆｉｇ．３）は、本発明の第１の実施形態となる撮像モジュールを示す平面図であり、（ａ）は、レンズ系が撮像デバイスに位置合わせされたいわゆる広角撮影（ワイド）の状態を示す図であり、（ｂ）は、レンズ系が撮像デバイスに位置合わせされたいわゆる狭角撮影（テレ）の状態を示す図である。
図４（Ｆｉｇ．４）は、本発明の第１の実施形態となる撮像モジュールを具体化した実施例を説明するための概略断面図であり、（ａ）は、広角撮影の状態、（ｃ）は狭角撮影の状態、及び（ｂ）は移行の中間状態を示す図である。
図５（Ｆｉｇ．５）は、本発明の第２の実施形態となる撮像モジュールを示す概略平面図であり、（ａ）は、広角撮影の状態、（ｂ）は狭角撮影の状態を示す図である。
図６（Ｆｉｇ．６）は、本発明の第３の実施形態となる撮像モジュールを示す概略平面図である。
図７（Ｆｉｇ．７）は、本発明の第３の実施形態となる撮像モジュールを具体化した実施例を示す図で、（ａ）、（ｂ）は、それぞれ広角撮影、狭角撮影の状態を示す概略平面図であり、（ｃ）は、撮像モジュールの携帯電話における配置を示す携帯電話の部分斜視図である。
図８（Ｆｉｇ．８）は、本発明の第３の実施形態となる撮像モジュールを更に応用した型の例を示す図であり、（ａ）、（ｂ）は、概略断面図、（ｃ）、（ｄ）は、携帯電話の一部を示す斜視図で、（ａ）、（ｃ）に、狭角撮影の状態、（ｂ）、（ｄ）に、広角撮影の状態をそれぞれ示す図である。
図９（Ｆｉｇ．９）は、本発明の第４の実施形態となる撮像モジュールを示す図で、（ａ）、（ｄ）は広角撮影、（ｂ）、（ｅ）は中間程度の角度の撮影、及び（ｃ）、（ｆ）は狭角撮影の状態を示す図であり、（ａ）、（ｂ）、（ｃ）は平面図、（ｄ）、（ｅ）、（ｆ）は撮像モジュールのみを取り出してそれぞれＤ、Ｅ、Ｆ方向から見た側面図である。更に、（ｇ）は、撮像モジュールの携帯電話における配置を示す図である。
図１０（Ｆｉｇ．１０）は、本発明の第４の実施形態となる撮像モジュールの変形例を示す図で、（ａ）、（ｃ）は、広角撮影の状態を示し、（ｂ）、（ｄ）は、狭角撮影の状態を示す図である。
【発明を実施するための最良の形態】  以下に添付図面を参照して、本発明の好適実施形態となる撮像モジュールについて、詳細に説明する。
図１は、本発明による撮像モジュールの、携帯電話における配置を説明するための斜視図である。図２は、本発明の撮像モジュールによる広角撮影、狭角撮影を説明する概略図である。図１によれば、撮像モジュール３０は、携帯電話１０の頂端近くに内蔵されて置かれる。図中で、参照番号２１は、表示のための液晶デバイス、参照番号２３は、数字が表示されたテンキー、参照番号２２は、ポインティングデバイスを示している。
この例では、撮像モジュール３０は、携帯電話の背面方向に向けられる。撮像モジュール３０は、２つのレンズ系３１、３２と、それらのいずれかと組み合わされて撮像のための光学系を構成する撮像デバイス５０を含む。２つのレンズ系３１、３２の焦点距離は相違し、例えば、一方は広角（ワイド）の撮影、他方は狭角（テレ）の撮影に使用される。これらの広角、狭角の変更は、撮像デバイス５０と組み合わされるレンズ系３１、３２をＸ２方向に移動させることによる相互切替えによるが、この切替えは、例えばレバー２５をＸ１方向に移動させることにより可能となる。図２には、レンズ系３１、３２のそれぞれを使用した場合の焦点距離ＦＬａ、ＦＬｂ、或いは、光学距離ＴＬａ、ＴＬｂの寸法の相違が示される。
図３は、本発明の第１の実施形態となる撮像モジュールを示す平面図であり、（ａ）は、いわゆる広角撮影（ワイド）の状態を示す図であり、（ｂ）は、いわゆる狭角撮影（テレ）の状態を示す図である。
撮像モジュール１３０は、横方向、即ち撮像モジュール１３０の長さ方向に摺動可能に置かれる第１フレーム１４１を含む。第１フレーム１４１には、その摺動方向に対して直交方向に移動可能にして第２フレーム１４２が取り付けられている。レンズ系１３１は、第１フレーム１４１に固定され、レンズ系１３２は、第２フレーム１４２に固定される。
図３（ａ）の広角撮影の位置では、レンズ系１３１が撮像デバイス１５０に対して適切な焦点距離をとれるように置かれている。ユーザが図３（ａ）の広角撮影から、図３（ｂ）の狭角撮影へと変更する場合には、第１フレーム１４１を矢印Ａ１の方向に移動させる。この移動は、例えば図１に示したような外部からアクセス可能なレバー２５による。通常は、第２フレーム１４２は、図３（ａ）に示すように、第１フレーム１４１の内側に配置される。しかしながら、第１フレーム１４１が移動されて、第２フレーム１４２が撮像デバイス５０に重なる位置まで移動すると、第２フレーム１４２は、第１フレーム１４１から突出する方向に移動する（矢印Ｂ１参照）。この突出した位置では、レンズ系１３２が撮像デバイス１５０に対して適切な焦点距離に置かれることとなる。
図３に示す構造を機械的に実現する実施例が、図４に示される。（ａ）は、広角撮影の状態、（ｃ）は狭角撮影の状態、及び（ｂ）は移行の中間状態を示す図である。図４では、撮像モジュール１８０は、撮像デバイス１５０、広角撮影のためのレンズ系を含む第１フレーム１９１、及び第１フレーム１９１に対して相対移動可能とされ、狭角撮影のためのレンズ系を含む第２フレーム１９２を備える。
図４（ａ）は、広角撮影の状態を示し、第１フレーム１９１は、広角撮影のためのレンズ系が撮像デバイス１５０に対して位置合わせされるように置かれる。ユーザは、この状態から狭角撮影の状態に変更するために、第１フレーム１９１を図中の矢印Ａ１方向へと移動させる。この移動は、前述の如く、第１フレーム１９１に固定され、外部からアクセス可能なレバーにより、ユーザが手動で行う。第１フレーム１９１には、これを図中の右方向、即ち矢印Ａ１方向と逆方向に付勢するばね部材Ｓ１が取り付けられているので、ユーザのレバー操作は、ばねの力に抗して行なわれる。
更に、第１フレーム１９１は、その内部に、第２フレーム１９２を常時図中の上向き、即ち矢印Ｂ１の方向に付勢するばね部材Ｓ２を備える。従って、第１フレーム１９１が図４（ｂ）に示す所定位置まで引き出されると、第２フレーム１９２を第１フレーム１９１内に維持していた図示しないロック機構が外れる。第２フレーム１９２は、撮像モジュール１８０の箱体１８６に形成される窓１８７を通過して外部に突出し（矢印Ｂ１方向）、これにより、図４（ｃ）の如く、第２フレーム１９２内の狭角のレンズ系が、撮像デバイスに対して所定の焦点距離を維持されることとなる。このとき、第２フレーム１９２は、携帯電話の外側面（図示せず）を通過して外部に突出する。尚、第１フレーム１９１は、図示しない他のロック機構により、図４（ｃ）の位置に維持され得る。
ユーザが、狭角撮影の状態から広角撮影の状態まで戻すためには、携帯電話の面から突出した第２フレーム１９２をばね部材Ｓ２の力に抗して押し、図４（ｃ）の状態から図４（ｂ）の状態にする。このとき、第１フレーム１９１を維持する図示しないロック機構が解除され、第１フレーム１９１を付勢するばね手段Ｓ１によって図中右方向、即ち、矢印Ｂ１方向と逆方向に移動される。これによって、第１フレーム１９１、第２フレーム１９２は、図４（ａ）に示す広角撮影の状態に復帰することとなる。
図５には、第２の実施形態となる撮像モジュールを示す図で、（ａ）は、広角撮影の状態、（ｂ）は狭角撮影の状態を示す図である。第２の撮像モジュール２８０も、やはり第１フレーム２９１と、第１フレーム２９１に対して相対移動可能な第２フレーム２９２を有し、それぞれに広角、狭角撮影のレンズ系２８１、２８２が支持される。第１フレーム２９１の移動については、第１の実施形態と同様とされる。第１の実施形態との相違点は、第２フレーム２９２が、第１フレーム２９１に対して、カム機構により案内されることである。
即ち、撮像モジュール２８０の内壁には、カム溝２７０が形成され、第２フレーム２９２には、このカム溝２７０に受容されるカム突起２６１、２６２が設けられる。（カム突起２６２を受容するカム溝は図示せず。）図５（ａ）の広角撮影の状態から図５（ｂ）の狭角撮影の状態に変更されるべく、第１フレーム２９１が、図中の矢印Ａ１方向に移動されるとき、第２フレーム２９２は、カム突起２６１、２６２がカム溝２７０に案内されることによって、矢印Ａ２のように曲線的な移動を行い、撮像モジュール２８０から突出するように移動する。第２フレーム２９２が所定位置に達するとき、即ち図４（ｂ）の位置に達するとき、第１フレーム２９１は図示しないロック機構により固定され、この狭角撮影の状態が維持される。図４（ｂ）の狭角撮影の状態から図４（ａ）の広角撮影の状態へと戻す際には、ユーザはレバーを操作するか、又は突出した第２フレーム２９２を直接押し込むことができる。
図６は、第３の実施形態となる撮像モジュールを示す概略平面図である。この撮像モジュール３３０では、広角、狭角のレンズ系３３１、３３２は共に共通のフレーム３４０に固定される。フレーム３４０は、撮像デバイス３５０を含む撮像モジュール３３０の本体３３６に対して、矢印Ａ３の如く傾斜方向に移動する。即ち、図中に実線で示す位置のフレーム３４０が置かれるとき、広角撮影の状態となり、フレーム３４０が矢印Ａ３方向に移動し、破線位置に達すると、狭角撮影の状態となる。フレーム３４０の移動は、前述の如く、図示しないレバーを操作することによっても良いが、図示するように広角撮影の状態撮像モジュール３３０から突出するフレーム端部３４８を携帯電話本体から突出するように配置し、これを内側に押入れる操作、及び狭角撮影の状態フレーム端部３４９を携帯電話本体から突出させ、これを押す操作によることもできる。
図６の実施形態となる撮像モジュールを具体化した実施例が、図７に示される。図７（ａ）、（ｂ）は、それぞれ広角撮影、狭角撮影の状態を示す概略平面図であり、図７（ｃ）は、撮像モジュールの携帯電話における配置を示す携帯電話の部分斜視図である。図示されるように、この撮像モジュール４３０は、携帯電話４１０の角部近傍に配置される。フレーム４４０には、広角撮影のためのレンズ系４３１と狭角撮影のためのレンズ系４３２との両者が固定される。（ａ）の広角撮影の状態では、レンズ系４３１が撮像デバイス４５０に位置合わせされ、（ｂ）の狭角撮影の状態では、レンズ系４３２が撮像デバイス４５０に位置合わせされる。フレーム４４０の移動方向は傾斜方向であり、各状態でそれぞれのレンズ系４３１、４３２に対応した適性な光学距離又は焦点距離が設定される。フレーム４４０には、柱部４４６が設けられ、これが携帯電話本体４１０に設けられた溝４１１に案内されて、両状態間でフレームの移動が行なわれる。この例では、ユーザがレバー４４７を操作することによりフレーム４４０が移動されるが、他の手段を用いても良い。
図８は、図７に示す例を更に応用した型の例を示す図であり、（ａ）、（ｂ）は、概略断面図、（ｃ）、（ｄ）は、携帯電話の一部を示す斜視図で、（ａ）、（ｃ）に、狭角撮影の状態、（ｂ）、（ｄ）に、広角撮影の状態をそれぞれ示す図である。図８（ａ）、（ｃ）の広角撮影の状態では、レンズ系４３１が撮像デバイス４５０に、適当な光学距離又は焦点距離をもって位置合わせされ、（ｂ）、（ｄ）の狭角撮影用の状態では、レンズ系４３２が撮像デバイス４５０に、適当な光学距離又は焦点距離をもって位置合わせされる。図示されるように、この例においても、広角、狭角のレンズ系４３１、４３２を含むフレーム４９０が、撮像デバイス４５０を含む本体４８６に対して傾斜方向に移動可能とされる。図７に示す例との違いは、フレーム４９０が、照明用ＬＥＤ４８１を一体的に備えることである。図８（ａ）、（ｃ）の広角撮影の状態では、照明用ＬＥＤ４８１は、窓４８５の内側に位置するが、図８（ｂ）、（ｄ）の狭角撮影の際には、照明用ＬＥＤ４８１は、外部に露出される。
図９は、本発明の第４の実施形態となる撮像モジュールを示す図で、（ａ）、（ｄ）は広角撮影、（ｂ）、（ｅ）は中間程度の角度の撮影、及び（ｃ）、（ｆ）は狭角撮影の状態を示す図であり、（ａ）、（ｂ）、（ｃ）は平面図、（ｄ）、（ｅ）、（ｆ）は撮像モジュールのみを取り出してそれぞれＤ、Ｅ、Ｆ方向から見た側面図である。更に、（ｇ）は、撮像モジュールの携帯電話における配置を示す図である。
撮像モジュール５３０は、狭角のレンズ系５３１、広角のレンズ系５３３、及びその中間程度のレンズ系５３２とが固定された略円形のフレーム５４０を有する。フレーム５４０は、やはり略円形であって、撮像デバイス５５０を内蔵する本体５３６に対してねじ（らせん）方向に回動するよう構成される。図示しないが、本体５３６の外側面には、ねじ方向に延びる凸条或いは凸溝が形成され、フレーム５４０の内側面には、これに係合する凹部又は凸部図中参照番号５１１は、携帯電話の表面を示している。
図示されるように、狭角のレンズ系５３１が撮像デバイス５５０に位置合わせされ、適正な焦点距離とされるときには、フレーム５４０の表面５４１は、表面５１１に略一致する。ユーザが、この状態から取込み角度を変更する際には、フレーム５４０をねじ回転させる。回転方向は、図中に矢印Ｒで示される。これにより、広角のレンズ系５３１に代わって中程度の取込み角度のレンズ系５３２が撮像デバイス５５０に位置合わせされ、同時に、フレーム５４０の表面５４１は、携帯電話の表面５１１から突出してレンズ系５３２に対して適正な焦点距離又は光学距離が実現される。フレーム５４０は、図示しないロック手段により、その位置に維持され得る。より狭角の撮影へと変更されるために、フレーム５４０、矢印Ｒ方向に向けて更に回動され得る。これにより、レンズ系５３３が撮像デバイス５５０に対して位置合わせされ、且つフレーム５４０は、更に突出することとなり、レンズ系５３３が撮像デバイス５５０に対して適当な焦点距離又は光学距離とされる。この位置に維持するために適当な他のロック手段が設けられ得る。ユーザは、フレーム５４０を矢印Ｒ方向と逆の方向に回動させることによって、中間角撮影、或いは広角撮影の状態へと戻すことができる。
尚、本実施形態において、中間角撮影のために設けられるレンズ系の代わりにマクロ撮影のためのレンズを用いることもできる。マクロ撮影によれば、広角、狭角のレンズ系では、撮影できないカメラモジュールに比較的近い位置の撮影も可能になる。ユーザは、フレーム５４０を回動するのみでマクロ撮影のための設定を実現できる。
図１０には、図９に示す本発明の第４の実施形態についての変形例が示される。（ａ）、（ｃ）は、広角撮影の状態を示し、（ｂ）、（ｄ）は、狭角撮影の状態を示す。フレーム６４０は、やはり広角のレンズ系６３１と狭角のレンズ系６３２とを含み、撮像デバイス６５０を含む本体６３６に対してねじ回動可能とされる。図９の実施形態とは、フレーム６４０が本体６３６の内側に収容される点で相違する。フレーム６４０の側壁には、ねじ回転突条６４６が形成され、本体６３６の側壁内面には、ねじ回転突条６４６を受容するねじ溝６４７が形成される。
広角撮影の状態から、狭角撮影の状態に移行させるために、フレーム６４０は、矢印Ｒ１の方向に回動される。本実施例では、レンズ系６３１、６３２は、一側に偏心して置かれるので、図９に示す例よりも回動の軌道長が長くなり、フレーム６４０を突出方向に移動させつつ回動させる動作をよりスムーズに実現できる点で利点となる。結果として、フレーム６４０の表面６４１は、本体６３６から突出した状態とされ、この状態で図示しないロック機構により所定位置に維持される。回動の操作を容易にするため、例えば、フレーム６４０の表面６４１上に、指で操作できる操作部を設けても良い。狭角撮影から広角撮影の状態に戻すときは、フレーム６４０は、Ｒ１と逆方向のＲ２方向に回動される。
以上のように、本発明の好適実施形態となる撮像モジュールを説明したが、これはあくまでも例示的なものであり、本発明を制限するものではなく、当業者によって様々な変形変更が可能である。
例えば、広角撮影、狭角撮影のように取込角の異なるレンズ系を、同じ焦点距離又は同じ光学距離に設定することにより、広角から狭角へとレンズ系を切り替える際に、光路に対して交差する一面内のみを移動させる構成を実現できる。この場合は、所定のレンズ系を撮像デバイスから離す方向に突出させる必要はない。即ち、上述の第１或いは第２の実施形態では、第１フレームに対して相対的に可動である第２フレームを設ける必要はなく、両レンズ系を単一のフレームに固定して、スライドさせるのみでレンズ系を切替可能となる。また第４の実施形態では、フレームは同一平面内で回動可能とされる。
更に、第４の実施形態において、フレーム形状は必ずしも円形である必要はなく、扇形又はそれに類似する形状であっても良い。また、同じく、第４の実施形態において、フレームは、広角撮影のためのレンズ系を含む第１フレームと、第１フレームに対して突出方向に可動とされ、狭角撮影のためのレンズ系を含む第２フレームとを備え、第１フレームが回動されるときに、第２フレームのみが突出するように構成されても良い。
また、上述したマクロ撮影については、第４の実施形態に示すように、別個にマクロ撮影のためのレンズ系を設けるのではなく、各取込角の撮影位置で、そのレンズ系を支持するフレームを撮像デバイスから離す方向に直線的にスライドする機能を設けても良い。例えば、手動によるカム動作によりフレームを移動させることができる。この場合は、マクロ撮影のための追加の操作部が設けられ得る。
【図１】
2004040365.tif 000003
【図２】
2004040365.tif 000004
【図３】
2004040365.tif 000005
【図４】
2004040365.tif 000006
【図５】
2004040365.tif 000007
【図６】
2004040365.tif 000008
【図７】
2004040365.tif 000009
【図８】
2004040365.tif 000010
【図９】
2004040365.tif 000011
【図１０】
2004040365.tif 000012
【国際調査報告】
2004040365.tif 000013
2004040365.tif 000014
2004040365.tif 000015
2004040365.tif 000016